(57)【特許請求の範囲】
【請求項１】
本体ケースと、
前記本体ケースに対して着脱可能に取り付け可能なアタッチメント部材と、
を備え、
前記本体ケースは、少なくとも一部が湾曲状の化粧用パネルの形状に沿って湾曲した前面を有し、
前記アタッチメント部材は、前記本体ケースに対して取り付けられた状態で、前記本体ケースの前面の一部とともに平板状の化粧用パネルの背面と接触する接触部を有する、
玄関子機。
【請求項２】
前記接触部は、平らな接触面であり、
前記平板状の化粧用パネルを前記本体ケースに対して取り付ける取付方向において、前記本体ケースの前面のうち前記平板状の化粧用パネルの背面と接触する部分と、前記アタッチメント部材の前記接触面とは高さが同一である、
請求項１に記載の玄関子機。
【請求項３】
前記本体ケースの前面のうち湾曲している部分において、前記アタッチメント部材を取り付けることが可能な凹部が形成されている、
請求項１または請求項２に記載の玄関子機。
【請求項４】
前記アタッチメント部材は、前記本体ケースの縁部に形成された突状部と係合可能な爪部を有する、
請求項１から請求項３のいずれか一項に記載の玄関子機。
【発明の詳細な説明】
【技術分野】
【０００１】
本発明は、玄関先に設置される玄関子機に関するものである。
【背景技術】
【０００２】
戸建てや集合住宅用のインターホンシステムでは、居室内に設置される居室親機と通話可能な玄関子機が、玄関先に設置されている。この玄関子機として、例えば、下記の特許文献１に記載のものがある。特許文献１の玄関子機は、本体ケースの前面が平板状であり、この前面に対して平板状の化粧用パネルが取り付けられた状態で、玄関先に設置されて使用される。
【先行技術文献】
【特許文献】
【０００３】
【特許文献１】特開２０１２−２０９６９３号公報
【発明の概要】
【発明が解決しようとする課題】
【０００４】
平板状の化粧用パネルを好むユーザが存在する一方で、湾曲状の化粧用パネルを好むユーザも存在する。しかし、湾曲状の化粧用パネルの形状に合わせて本体ケースの前面を湾曲させて設計した場合、その本体ケースに平板状の化粧用パネルを取り付けようとすると、本体ケースの前面と平板状の化粧用パネルとの間に隙間が生じて両部品がガタついてしまうため、両部品を固定する際の作業性が良くない。
【０００５】
そこで、本発明は、平板状の化粧用パネル及び湾曲状の化粧用パネルを取り付ける際の作業性を向上させることが可能な玄関子機を提供することを目的とする。
【課題を解決するための手段】
【０００６】
上記目的を達成するために、本発明の玄関子機は、
本体ケースと、
前記本体ケースに対して着脱可能に取り付け可能なアタッチメント部材と、
を備え、
前記本体ケースは、少なくとも一部が湾曲状の化粧用パネルの形状に沿って湾曲した前面を有し、
前記アタッチメント部材は、前記本体ケースに対して取り付けられた状態で、前記本体ケースの前面の一部とともに平板状の化粧用パネルの背面と接触する接触部を有する。
【０００７】
この構成によれば、本体ケースの前面の少なくとも一部が湾曲状の化粧用パネルの形状に沿って湾曲している。このため、本体ケースに対してアタッチメント部材が取り付けられていない状態では、本体ケースの前面に対して湾曲状の化粧用パネルを近接させても、互いに干渉してガタつくことがなく、湾曲状の化粧用パネルを本体ケースに対して互いに安定してガタつかない状態で、取り付けることができる。また、本体ケースに対してアタッチメント部材が取り付けられた状態では、本体ケースの前面の一部とともにアタッチメント部材が、平板状の化粧用パネルの背面と接触する接触部を構成する。このため、本体ケースの前面に対して平板状の化粧用パネルを互いに安定してガタつかない状態で取り付けることができる。このようにして、湾曲状の化粧用パネル及び平板状の化粧用パネルを取り付ける際の作業性が向上する。
【０００８】
また、本発明の玄関子機において、
前記接触部は、平らな接触面であり、
前記平板状の化粧用パネルを前記本体ケースに対して取り付ける取付方向において、前記本体ケースの前面のうち前記平板状の化粧用パネルの背面と接触する部分と、前記アタッチメント部材の前記接触面とは高さが同一であっても良い。
【０００９】
この構成によれば、更に、本体ケースの前面に対して平板状の化粧用パネルを互いに安定してガタつかない状態で取り付けることができる。
【００１０】
また、本発明の玄関子機は、
前記本体ケースの前面のうち湾曲している部分において、前記アタッチメント部材を取り付けることが可能な凹部が形成されていても良い。
【００１１】
この構成によれば、作業者にとってアタッチメント部材の取り付け位置が分かりやすく作業性が向上する。
【００１２】
また、本発明の玄関子機において、
前記アタッチメント部材は、前記本体ケースの縁部に形成された突状部と係合可能な爪部を有していても良い。
【００１３】
この構成によれば、作業者は、アタッチメント部材を本体ケースに取り付ける際、爪部が突状部を乗り越えて係合が完了した際のクリック感（音や移動）により、取り付け作業を迅速に行いやすくなる。
【発明の効果】
【００１４】
本発明の玄関子機によれば、平板状の化粧用パネル及び湾曲状の化粧用パネルを取り付ける際の作業性を向上させることができる。
【図面の簡単な説明】
【００１５】
【図１】本発明の実施形態に係る玄関子機の構成図である。
【図２】（ａ）〜（ｄ）は玄関子機に取り付けられる化粧用パネルの例を示す図である。
【図３】（ａ）はアタッチメント部材が取り付けられていない状態の玄関子機を示す正面図、（ｂ）は背面図、（ｃ）はＡ−Ａの断面図、（ｄ）はＢ−Ｂの断面図である。
【図４】（ａ）はアタッチメント部材の正面斜視図、（ｂ）はアタッチメント部材の背面斜視図、（ｃ）はアタッチメント部材の６面図である。
【図５】（ａ）はアタッチメント部材が取り付けられている状態の玄関子機を示す正面図、（ｂ）は背面図、（ｃ）はＣ−Ｃの縦断面図、（ｄ）はＤ−Ｄの横断面図である。
【図６】（ａ）は平板状の化粧用パネルが取り付けられた状態の玄関子機を示す正面図、（ｂ）は（ａ）の平面図、（ｃ）は（ｂ）の破線部分の拡大図である。
【図７】（ａ）〜（ｅ）はアタッチメント部材の爪部を説明する図である。
【図８】（ａ）は湾曲状の化粧用パネルが取り付けられた状態の玄関子機を示す正面図、（ｂ）は（ａ）の底面図である。
【発明を実施するための形態】
【００１６】
以下、本実施形態の一例について、図面を参照して説明する。
図１に示すように、玄関子機１は、本体ケース２と、本体ケース２に対して着脱可能に取り付け可能な複数（本例では４つ）のアタッチメント部材４とを備えている。玄関子機１は、例えば戸建ての玄関先や集合住宅における各住戸の玄関先に設置され、住戸内に設けられている居室親機と通話可能に構成されている。
【００１７】
玄関子機１の前面には、例えば図２（ａ），（ｂ）に示すような平板状の化粧用パネル６や、図２（ｃ），（ｄ）に示すような湾曲状の化粧用パネル７が取り付けられうる。
【００１８】
図２（ａ）は化粧用パネル６の前面側を示し、図２（ｂ）は玄関子機１の前面に対向する化粧用パネル６の背面側を示す。化粧用パネル６の略中央部には、玄関子機１における本体ケース２の一部が露出可能な露出穴６１が形成されている。また、化粧用パネル６の背面には、化粧用パネル６を玄関子機１に固定するための固定棒６２（例えばネジ）が背面から略垂直方向へ突出して設けられている。固定棒６２は、アタッチメント部材４と同数だけ（本例では４つ）設けられている。
【００１９】
図２（ｃ）は化粧用パネル７の前面側を示し、図２（ｄ）は玄関子機１の前面に対向する化粧用パネル７の背面側を示す。化粧用パネル７の略中央部には、化粧用パネル６と同様に本体ケース２の一部が露出可能な露出穴７１が形成されている。また、化粧用パネル７の背面には、複数（本例では６つ）の突起７２が設けられている。突起７２は、化粧用パネル７を本体ケース２に取り付ける際に本体ケース２の前面に当接することで本体ケース２に対する化粧用パネル７の取り付けを安定させる。
【００２０】
図３に示すように、本体ケース２は、前側に設けられている上ケース２ａと、上ケース２ａの後側に取り付けられている下ケース２ｂとで構成されている。上ケース２ａの中央部２０には、図３（ａ）に示すように、カメラ３１と、マイクやスピーカを含む通話部３２と、呼出ボタン３３とが上下方向へ並んで配置されている。下ケース２ｂ内には、玄関子機１の各部を動作させるための電気回路が収納されている。
【００２１】
上ケース２ａの前面は、図３（ｄ）に示すように、少なくとも一部が湾曲状に形成されている。具体的には、例えば図３（ａ），（ｄ）に示すように、中央部２０の外周（左右両側）に湾曲していない平坦部２１が設けられ、平坦部２１の外側（左右両側）に湾曲状に形成された湾曲部２２が設けられている。湾曲部２２は、化粧用パネル７（図２（ｃ）参照）の湾曲形状に沿って湾曲するように形成されている。なお、平坦部２１の領域は、湾曲部２２に連続する湾曲状に形成されても良い。
【００２２】
上ケース２ａには、アタッチメント部材４を取り付けることが可能な凹部２３が形成されている。凹部２３は、上ケース２ａの前面のうち湾曲部２２において、アタッチメント部材４を取り付けることが可能な上ケース２ａの左右両側部に形成されている。上ケース２ａに設けられている左右両側の縁部２５のうち、凹部２３が形成されている領域の縁部２５ａの厚さは、図３（ｃ）に示すように、凹部２３が形成されていない領域の縁部２５ｂの厚さよりも薄く形成されている。各凹部２３には、化粧用パネル６の固定棒６２（図２（ｂ）参照）が挿通される挿通穴２４が形成されている。
【００２３】
図４は、一例として、上ケース２ａの右側部に取り付けられるアタッチメント部材４を示す。なお、以下で説明する各部の名称に含まれる方向を示す単語（前後左右等）は、説明の便宜上付したものに過ぎず、発明の内容を限定するものではない。
図４に示すように、アタッチメント部材４は、矩形状の前壁４１と、前壁４１の上下両端部から後方へ垂直に伸びる肩部４２と、前壁４１の右側部から後方へ垂直に伸びる右壁４３と、右壁４３の後端の上下両端部から左方へ垂直に伸びる腕部４４とを備えている。
【００２４】
前壁４１の前面は、アタッチメント部材４が上ケース２ａに対して取り付けられた状態で、平板状の化粧用パネル６が取り付けられる際に化粧用パネル６の背面と接触する平らな接触面４１ａ（接触部の一例）を構成する。前壁４１には、化粧用パネル６の固定棒６２（図２（ｂ）参照）が挿通される挿通穴４５が形成されている。前壁４１の後面側には、挿通穴４５に挿通された固定棒６２を上ケース２ａの挿通穴２４へ誘導する誘導穴４６が挿通穴４５と連通して形成されている。挿通穴４５及び誘導穴４６は、上ケース２ａの挿通穴２４よりも径がやや小さく形成されている。
【００２５】
肩部４２は、その後面の位置が腕部４４の前面の位置よりも前方の位置となるように形成されている。このため、例えばアタッチメント部材４を上側または下側から見たとき、肩部４２の後面と腕部４４の前面との間に隙間Ｓ１が形成されている。また、上下両肩部４２間の距離４２Ｌは、上ケース２ａの凹部２３の上下方向における長さ２３Ｌ（図３（ａ）参照）よりもやや短くなるように設定されている。
【００２６】
腕部４４の各々の先端部の前面には、アタッチメント部材４が上ケース２ａに取り付けられた状態で、上ケース２ａの縁部に係合する爪部４７が形成されている。左右両腕部４４間の距離は、本例では上下両肩部４２間の距離４２Ｌよりも長くなるように設定されている。
【００２７】
右壁４３の左面側には、左面から左方へ垂直に伸びる複数（本例では２つ）のリブ４８が形成されている。リブ４８は、その左面の位置が腕部４４の爪部４７の位置よりも右方の位置となるように形成されている。このため、例えばアタッチメント部材４を上側または下側から見たとき、リブ４８の左面と腕部４４の爪部４７との間に隙間Ｓ２が形成されている。両リブ４８間の距離は、本例では上下両肩部４２間の距離４２Ｌよりも短くなるように設定されている。
【００２８】
図５は、アタッチメント部材が取り付けられている状態の玄関子機１を図示している。
図５の各図に示すように、アタッチメント部材４は、上ケース２ａの前面のうち湾曲部２２に取り付けられている。アタッチメント部材４と上ケース２ａとは、図５（ｃ）に示すように、上ケース２ａの凹部２３における縁部２５ａがアタッチメント部材４の隙間Ｓ１内に挿入された状態で組み付けられている。
【００２９】
アタッチメント部材４と上ケース２ａとが組み付けられた状態において、図５（ｂ），（ｄ）に示すように、アタッチメント部材４における腕部４４の爪部４７が上ケース２ａの縁部２５の裏側に形成された突状部２６（図７参照）に係合するように構成されている。また、図５（ａ）に示すように、上下方向において、上ケース２ａの凹部２３とアタッチメント部材４の肩部４２との間には、わずかな隙間Ｓ３が存在している。また、図５（ｂ）に示すように、アタッチメント部材４の挿通穴４５及び誘導穴４６は、上ケース２ａの挿通穴２４と連通するように構成されている。また、図５（ｄ）に示すように、玄関子機１の前後方向（取付方向の一例）において、上ケース２ａの前面のうちの平坦部２１と、アタッチメント部材４の接触面４１ａとは高さが同一になるように構成されている。
【００３０】
アタッチメント部材４は、肩部４２の後面が上ケース２ａの凹部２３における縁部２５ａの前面に当接することで、または、腕部４４の前面が上記縁部２５ａの背面に当接することで、上ケース２ａに対するアタッチメント部材４の前後方向の位置が規制されている。
また、アタッチメント部材４は、爪部４７が上ケース２ａの縁部２５における突状部２６に当接することで、または、リブ４８が上記縁部２５の外側の面に当接することで、上ケース２ａに対するアタッチメント部材４の左右方向の位置が規制されている。
また、アタッチメント部材４は、肩部４２が上ケース２ａの凹部２３における上下方向の縁部２５ｂに当接することで、上ケース２ａに対するアタッチメント部材４の上下方向の位置が規制されている。
【００３１】
図６（ａ）に示すように、玄関子機１に対して平板状の化粧用パネル６が取り付けられた場合、上ケース２ａの中央部２０に配置されているカメラ３１、通話部３２、及び呼出ボタン３３等が、化粧用パネル６の露出穴６１から露出される。また、図６（ｂ），（ｃ）に示すように、化粧用パネル６を玄関子機１に対して取り付ける取付方向において、上ケース２ａの前面のうち化粧用パネル６の背面と接触する平坦部２１と、アタッチメント部材４の前壁４１の接触面４１ａとは同じ高さに構成されている。このため、アタッチメント部材４の前壁４１の接触面４１ａは、上ケース２ａの前面の平坦部２１とともに化粧用パネル６の背面に隙間なく接触されている。また、化粧用パネル６の固定棒６２が、アタッチメント部材４の挿通穴４５、及び上ケース２ａの挿通穴２４に挿通されている。
【００３２】
図７（ａ）は、図５（ｄ）と同様、玄関子機１の横断面図を示す。図７（ｂ）〜（ｄ）は、図７（ａ）の破線部の拡大図を示す。また、図７（ｅ）は、アタッチメント部材の爪部の比較例を示す。
【００３３】
図７（ｂ）〜（ｄ）に示すように、アタッチメント部材４の腕部４４の先端部に設けられている爪部４７は、三角形状を有しており、腕部４４から前方向へ略垂直に伸びる垂直面４７ａと、垂直面４７ａの前端から腕部４４の先端に向かって傾斜する傾斜面４７ｂとを有する。アタッチメント部材４が上ケース２ａに対して取り付けられた場合、この爪部４７の垂直面４７ａが上ケース２ａの縁部２５に形成された突状部２６の側面に係合される。この場合、図７（ｂ）に示すように、爪部４７の傾斜面４７ｂと上ケース２ａの縁部２５との間には、隙間Ｓ４が存在している。
【００３４】
これに対して、アタッチメント部材４が上ケース２ａから取り外される際には、突状部２６に対する爪部４７の係合が解除される。例えば図７に示されるアタッチメント部材４の場合、アタッチメント部材４が上ケース２ａにおける突状部２６の周りを矢印Ｅに示す方向に回転されることで突状部２６に対する爪部４７の係合が解除されて上ケース２ａからアタッチメント部材４が取り外される。
【００３５】
具体的には、アタッチメント部材４が矢印Ｅの向きに回転されると、アタッチメント部材４の爪部４７は、図７（ｃ）に示すように、垂直面４７ａの前端部を突状部２６に接触させながら突状部２６の周りを回転する。この場合、傾斜面４７ｂと縁部２５との間に隙間Ｓ４が設けられているため、爪部４７は、スムースに突状部２６の周りを回転可能とされている。さらにアタッチメント部材４が回転されると、爪部４７は、図７（ｄ）に示すように、傾斜面４７ｂを縁部２５に当接させる。これにより、爪部４７に対して縁部２５から矢印Ｆの向きに力が加わり、垂直面４７ａの前端部と突状部２６との接触位置が突状部２６の先端方向へずれて行き、爪部４７が突状部２６を乗り越えることで突状部２６に対する爪部４７の係合が解除される。
【００３６】
なお、図７（ｅ）に示すように、アタッチメント部材４の爪部５７の断面形状が例えば四角形状を有するような場合、アタッチメント部材４を取り外す際に、矢印Ｇの向きに回転させようとしても、爪部５７と縁部２５との間にはほとんど隙間がなく、爪部５７は回転しにくい。このため、上ケース２ａからアタッチメント部材４を取り外すことが容易ではない。また、爪部５７が突状部２６を乗り越えるまでに爪部５７及び腕部４４に対して大きな力が加わるため、アタッチメント部材４が壊れやすい。
【００３７】
ところで、例えば特許文献１のように平板状の化粧用パネル用に設計された平板状の本体ケースに対して、湾曲状の化粧用パネルを取り付けようとすると、本体ケースの前面と湾曲状の化粧用パネルの背面とが互いに干渉してしまい、両部品を固定する際の作業性が良くない。また、平板状の本体ケースとして設計されているケースの厚さに対して、湾曲状の化粧用パネルの厚さが単純に加算されるため、前後方向の厚さが大きくなってしまう。
【００３８】
これに対して、上記構成の玄関子機１によれば、本体ケース２の前面の少なくとも一部（湾曲部２２）が湾曲状の化粧用パネル７の形状に沿って湾曲して形成されている。このため、本体ケース２に対してアタッチメント部材４が取り付けられていない状態では、図８に示すように、本体ケース２の前面に対して湾曲状の化粧用パネル７を近接させても、互いに干渉してガタつくことがなく、湾曲状の化粧用パネル７を本体ケース２に対して互いに安定してガタつかない状態で取り付けることができる。また、本体ケース２に対してアタッチメント部材４が取り付けられた状態では、アタッチメント部材４の前壁４１の接触面４１ａが、本体ケース２の前面の一部（平坦部２１）と共に平板状の化粧用パネル６の背面と接触するように形成されている。このため、本体ケース２の前面に対して平板状の化粧用パネル６を互いに安定してガタつかない状態で取り付けることができる。
【００３９】
また、平板状の化粧用パネル６を玄関子機１に対して取り付ける取付方向において、上ケース２ａの平坦部２１と、アタッチメント部材４の接触面４１ａとは高さが同一になるように構成されている。このため、平板状の化粧用パネル６の背面が平坦部２１と接触面４１ａとに隙間なく接触されるので、更に、本体ケースの前面に対して平板状の化粧用パネルを互いに安定してガタつかない状態で取り付けることができる。
【００４０】
また、本体ケース２の前面の湾曲部２２にアタッチメント部材４を取り付けることが可能な凹部２３が形成されているので、作業者は、アタッチメント部材４の取り付け位置が分かりやすく作業性しやすい。
【００４１】
また、アタッチメント部材４の腕部４４には、本体ケース２の縁部２５に形成された突状部２６と係合可能な爪部４７が形成されている。このため、作業者は、アタッチメント部材４を本体ケース２に取り付ける際、爪部４７が突状部２６を乗り越えて係合が完了した際のクリック感（音や移動）により、取り付け作業を迅速に行いやすくなる。
【００４２】
また、アタッチメント部材４における両肩部４２間の距離４２Ｌは、本体ケース２の凹部２３の上下方向における長さ２３Ｌよりもやや短くなるように形成されている。このため、作業者は、凹部２３に対してアタッチメント部材４が取り付けやすい。また、アタッチメント部材４の挿通穴４５と本体ケース２の挿通穴２４に化粧用パネル６のネジ６２を挿通させてネジ６２にナットを絞める際にも、両部品の位置合わせに多少の遊びとなる空間があるため作業しやすい。
【００４３】
また、アタッチメント部材４の腕部４４に設けられている爪部４７は、垂直面４７ａと傾斜面４７ｂとを有する三角形状に形成されており、傾斜面４７ｂと縁部２５との間には隙間Ｓ４が設けられている。このため、アタッチメント部材４を本体ケース２から取り外す際に、爪部４７が本体ケース２の突状部２６の周りを回転しやすいので、突状部２６に対する爪部４７の係合が解除されやすく取り外しやすい。したがって、本体ケース２から腕部４４に加わる力を抑制することができ、アタッチメント部材４が壊れにくくなる。
【００４４】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【符号の説明】
【００４５】
１：玄関子機、２：本体ケース、２ａ：上ケース、２ｂ：下ケース、４：アタッチメント部材、６，７：化粧用パネル、２０：中央部、２１：平坦部、２２：湾曲部、２３：凹部、２４：挿通穴、２５，２５ａ，２５ｂ：縁部、２６：突状部、４１：前壁、４１ａ：接触面（接触部の一例）、４２：肩部、４４：腕部、４５：挿通穴、４７：爪部、４７ａ：垂直面、４７ｂ：傾斜面、４８：リブ、６１，７１：露出穴、６２：固定棒、Ｓ１〜Ｓ４：隙間
【図１】
0006621698.tif 000002
【図２】
0006621698.tif 000003
【図３】
0006621698.tif 000004
【図４】
0006621698.tif 000005
【図５】
0006621698.tif 000006
【図６】
0006621698.tif 000007
【図７】
0006621698.tif 000008
【図８】
0006621698.tif 000009